(57)【要約】【課題】  インターネットを利用したモニタ等の表示を介した販売方法と異なり、従来から行われてきた画商等の仲介者である販売者による展示会等による展示或いは販売にあたって、絵画類と額縁とを別々に販売するのに適応できるようにする。【解決手段】  販売者Ｍ１が販売のために展示した絵画類Ｐをみて購入者Ｍ２が絵画類Ｐの購入を申込み、引渡しを受ける。販売者Ｍ１は、展示に先行して絵画類Ｐを板形の支持部材１に固定する第１の加工作業Ｓ１を行い販売する。【選択図】        図１
2009295099.tif 000002
【特許請求の範囲】
【請求項１】
販売者が販売のために展示した絵画類をみて購入者が絵画類の購入を申込み引渡しを受ける絵画類の販売方法において、販売者は、展示に先行して絵画類を板形の支持部材に固定する第１の加工作業を行い、展示の際に支持部材を利用して絵画類を展示することを特徴とする絵画類の販売方法。
【請求項２】
請求項１の絵画類の販売方法において、販売者は、購入の申込み後に支持部材を裏板として額縁との間に収容位置を調整可能な調整金具を取付けて絵画類を額装する第２の加工作業を行ってから引渡すことを特徴とする絵画類の販売方法。
【請求項３】
請求項２の絵画類の販売方法において、額縁は絵画類とともに展示されて購入者から購入を申込まれたものであることを特徴とする絵画類の販売方法。  
【請求項４】
請求項２の絵画類の販売方法において、額縁は購入者が予め所持していて第２の加工作業の際に販売者に提出されたものであることを特徴とする絵画類の販売方法。
【発明の詳細な説明】
【技術分野】
【０００１】
本発明は、絵画，リトグラフ，写真等の絵画類の販売に係る技術分野に属する。
【背景技術】
【０００２】
通例、絵画類は、その絵画類に合った額を販売者や制作者が額装して販売されるが、最近、額縁の価格、額装費用の高騰などから額装済みの絵画類の価格が高価になる傾向にあり、販売者等において予め額装して販売することは費用負担が大きく、絵画類と額縁とを別々に販売することが行われるようになってきている。このため、絵画類の販売について、新たな展示，額装のシステムの開発が要望されてきている。
【０００３】
従来、絵画類の販売方法としては、例えば、以下に記載のものが知られている。
【特許文献１】特開２００２−２０３１３６号公報  特許文献１には、インターネットを利用して絵画類と額縁とを別個に展示して販売する絵画類の販売方法が記載されている。
【０００４】
特許文献１に係る絵画類の販売方法は、画商等の仲介者による閉鎖的な販売システムを廃して、絵画類の制作者が直接的に購入者に絵画類を販売することができるようにするものである。
【発明の開示】
【発明が解決しようとする課題】
【０００５】
特許文献１に係る絵画類の販売方法では、絵画類，額縁がパーソナルコンピュータのモニタ等の表示を介して展示されるため、パーソナルコンピュータの取扱いに不慣れな高齢者が購入者になりにくく購買層が限定されてしまうとともに、モニタごとに色彩の再現性が異なることは否めず、美術的価値のある絵画類が直接的な目視で正確に印象が把握されないために購買意欲が喚起されないという問題点がある。また、芸術家，創作家である絵画類の制作者に絵画類，額縁の展示，販売の事務，などの慣れない諸作業が要求されるため、現実的にはコンピュータ使用による販売は実用性が低いという問題点がある。
【０００６】
本発明は、このような問題点を考慮してなされたもので、従来から行われてきた画商等の仲介者である販売者による展示会等による展示を通じて、絵画類と額縁とを別個に販売するのに適応した絵画類の販売方法を提供することを課題とする。
【課題を解決するための手段】
【０００７】
前述の課題を解決するため、本発明に係る絵画類の販売方法は、特許請求の範囲の各請求項に記載の手段を採用する。
【０００８】
即ち、請求項１では、販売者が販売のために展示した絵画類をみて購入者が絵画類の購入を申込み、引渡しを受ける絵画類の販売方法において、販売者は、展示に先行して絵画類を板形の支持部材に固定する第１の加工作業を行い、展示の際に支持部材を利用して絵画類を展示することを特徴とする。
【０００９】
この手段では、販売者が絵画類を支持板に固定して未額装の絵画類を展示しやすいようにする。
【００１０】
また、請求項２では、請求項１の絵画類の販売方法において、販売者は、購入の申込み後に支持部材を裏板として額縁との間に収容位置を調整可能な調整金具を取付けて絵画類を額装する第２の加工作業を行ってから引渡すことを特徴とする。
【００１１】
この手段では、展示された絵画類についての購入者の購入の申込み（注文）の後に、販売者が支持板を額装の裏板として利用するとともに収容位置を調整する調整金具を使用して絵画類の額装を実施して、販売者が額装済みの絵画類を購入者に引渡すことになる。
【００１２】
また、請求項３では、請求項２の絵画類の販売方法において、額縁は絵画類とともに展示されて購入者から購入を申込まれたものであることを特徴とする。
【００１３】
この手段では、絵画類とともに額縁が展示会等で展示され販売される。
【００１４】
また、請求項４では、請求項２の絵画類の販売方法において、額縁は購入者が予め所持していて第２の加工作業の際に販売者に提出されたものであることを特徴とする。
【００１５】
この手段では、別の展示会等で購入された額縁や既に所持している額縁が絵画類を額装する際に購入者から提供される。
【発明の効果】
【００１６】
本発明に係る絵画類の販売方法は、販売者が絵画類を支持板に固定した状態の未額装の絵画類を展示しやすいようにするため、従来から行われてきた画商等の仲介者である販売者による展示会等による展示を通じて、絵画類と額縁とを別々に販売するのに適応することができる効果がある。
【００１７】
また、請求項２として、展示された絵画類についての購入者の購入の申込み（注文）の後に、販売者が支持板を額装の裏板として利用するとともに収容位置を調整する調整金具を使用して絵画類の額装を実施して、販売者が額装済みの絵画類を購入者に引渡すことになるため、絵画類を額装した状態で購入者に引渡すことができ、購入者側での面倒な額装作業等が不要になる効果がある。
【００１８】
さらに、請求項３として、絵画類とともに額縁が展示会等で展示され販売されるため、購入者の購入の申込みの後に絵画類の額装を直ちに実施することができる効果がある。
【００１９】
さらに、請求項４として、別の展示会等で購入された額縁や既に所持している額縁が絵画類を額装する際に購入者から提供されるため、購入者の好みによりマッチした額縁に絵画類を額装することができる効果がある。
【発明を実施するための最良の形態】
【００２０】
以下、本発明に係る絵画類の販売方法を実施するための最良の形態を図面に基づいて説明する。
【００２１】
図１〜図３は、本発明に係る絵画類の販売方法を実施するための最良の形態の第１例を示すものである。
【００２２】
第１例は、図１に示すように、第１の加工作業Ｓ１，展示Ｓ２の各段階を介して絵画類Ｐが販売される。
【００２３】
第１の加工作業Ｓ１では、販売者Ｍ１が絵画類Ｐを裏面１１，表面１２，側面１３を有する板形の支持部材１に固定する。絵画類Ｐが木枠Ｐａに画布Ｐｂが張設されたキャンバスからなるものである場合には、支持部材１の裏面１１から釘Ｎ等の打込みで固定される（図２参照）。支持部材１については、必要に応じて表面１２に適当な装飾１４が施される。
【００２４】
展示Ｓ２では、販売者Ｍ１が支持部材１に取付金具２を取付けて、展示会等の壁面に絵画類Ｐを展示する（図３参照）。この展示手段によると、絵画類Ｐを損傷することなく容易に壁面に取付けることができ、壁面への取付け体裁も良好である。この展示会等には、額縁Ｆも展示される。
【００２５】
この展示Ｓ２では、展示会を訪れた購入者Ｍ２が絵画類Ｐの購入を申込む（注文）ことになる。
【００２６】
この後、販売者Ｍ１が直ちに絵画類Ｐを購入者Ｍに引渡す。絵画類Ｐを引渡された購入者Ｍ２は、絵画類Ｐを額装したり他の装置手段を構成することによって室内等に飾付け装置することになる。
【００２７】
第１例によると、販売者Ｍ１が絵画類Ｐを支持板１に固定して未額装の絵画類Ｐを展示しやすいようにするため、従来から行われてきた画商等の仲介者である販売者による展示会等による展示を通じて、絵画類Ｐと額縁Ｆとを別個に販売するのに適応することができる。
【００２８】
図４〜図１２は、本発明に係る絵画類の販売方法を実施するための最良の形態の第２例を示すものである。
【００２９】
第２例では、図４に示すように、第１例の展示Ｓ２に続いて、第２の加工作業Ｓ３，完成Ｓ４の各段階を介して絵画類Ｐが販売される。
【００３０】
第２の加工作業Ｓ３が必要な場合、支持部材１を裏板として利用し、額縁Ｆとの間に収容位置を調整可能な調整金具３を取付けて絵画類Ｐを額装する。このとき、絵画類Ｐとともに額縁Ｆが展示会等で展示され販売されるため、購入者Ｍ２の購入の申込みの後に絵画類Ｐの額装を直ちに実施することができる。
【００３１】
調整金具３は、図５〜図７に示すように、額縁側部材３１，絵画類側部材３２，取付ネジ３３で構成されている。
【００３２】
調整金具３の額縁側部材３１は、錆付きの生じないステンレス等の金属材や合成樹脂材で形成された基片部３１１，突片部３１２のほぼＴ字形の板体からなる。基片部３１１は、長方形に形成されて額縁Ｆの裏面に固定されるもので、取付ネジ３３が挿通されるネジ孔３１３が穿孔されている。突片部３１２は、基片部３１１の中央部から直交する長方形に形成されて額縁Ｆの内側へ突出されるもので、突出方向（長さ方向）にガイド溝３１４が設けられている。
【００３３】
調整金具３の絵画類側部材３２は、額縁側部材３１と同様に、錆付きの生じないステンレス等の金属材や合成樹脂材で形成された係止片３２１，締付具３２２からなる。係止片３２１は、Ｌ字形に形成されて支持部材１の裏面１１，側面１３に当接される。締付具３２２は、ネジ３２２ａ，ナット３２２ｂ，バネワッシャ３２２ｃからなるもので、額縁側部材３１の突片部３１２の突出方向の自由な位置に締付け固定される。締付具３２２のネジ３２２ａは、係止片３２１の支持部材１裏面１１に当接する当接面の反対側の面に溶接等で取付けられて起立されたもので、径が額縁側部材３１のガイド溝３１４の幅とほぼ一致され、額縁側部材３１のガイド溝３１４にスライド可能に挿通される。締付具３２２のナット３２２ｂは、額縁側部材３１の突片部３１２を係止片３２１との間に挟込むようにしてネジ３２２ａに螺合される。締付具３２２のバネワッシャ２２ｃは、額縁側部材３１の突片部３１２とナット３２２ｂとの間に介装されてナット３２２ｂの緩みを防止する。
【００３４】
調整金具３の取付ネジ３３は、錆付きの生じないステンレス等の金属材で形成された食込みタイプのものからなる。
【００３５】
この調整金具３を使用して絵画類Ｐを額装するには、まず、額縁Ｆに支持部材１に固定された絵画類Ｐを仮に収容しておく。そして、額縁側部材３１を額縁Ｆに固定する。即ち、額縁側部材３１の突片部３１２を内側に向けて基片部３１１を額縁Ｆの裏面に当接させ、取付ネジ３３をネジ孔３１３に挿通して基片部３１１を額縁Ｆの裏面に締付け固定する。次ぎに、絵画類側部材３２の締付具３２２のネジ３２２ａを額縁側部材３１のガイド溝３１４に挿通して、絵画類側部材３２の係止片３２１を支持部材１の裏面１１，側面１３に当接させる。そして、絵画類側部材３２の締付具３２２のネジ３２２ａにバネワッシャ３２２ｃを嵌合させナット３２２ｂを螺合させ、図７，図８に示すような組付け構造を構成する。このとき、ナット３２２ｂを完全に締付けない仮締めとしておく。この仮締めは、図５に示すように、支持部材１の４辺で少なくとも１箇所ずつの合計４箇所で実施される。この後、支持部材１を上下，左右方向にスライドさせるように位置調整（即ち、図８に示す額縁Ｆ，絵画類Ｐの間隔Ｓの調整）してから、絵画類側部材３２の締付具３２２のナット３２２ｂを本締めすることになる。
【００３６】
この結果、絵画類Ｐ，額縁Ｆが別個に購入されたもの、例えば規格外のものであっても、絵画類Ｐの額装位置を微妙に調整することができる。なお、絵画類Ｐ（支持部材１）をスライド操作で位置調整するため、調整作業が面倒になることもない。
【００３７】
なお、調整金具３については、図９に示すように、絵画類側部材３２の係止片３２１の支持部材１の裏面１１，側面１３への当接面に紙材，布材，発泡材等の保護材３２３を貼付することも可能である。保護材３２３は、支持部材１の裏面１１，側面１３に当接されることで、支持部材１の傷付き損傷を防止する。保護材３２３については、乾燥剤，錆防止剤，酸化防止剤等を含浸させておくことも可能である。
【００３８】
また、図１０に示すように、支持部材１の裏面１１と絵画類側部材３２の係止片３２１との間にブロック体（木材，金属材，合成樹脂材）のスペーサ４を介在させることも可能である。スペーサ４を使用すると、厚さＤの異なる絵画類Ｐに対応する汎用性を備えることができる。スペーサ４については、保護材３２３と同様に、乾燥剤，錆防止剤，酸化防止剤等を含浸させておくことも可能である。
【００３９】
さらに、調整金具３については、図１１，図１２に示すように、一枚板構造の基片部材３４，取付ネジ３３で構成することも可能である。
【００４０】
調整金具３の基片部材３４は、図１１（Ａ）に示すように、錆付きの生じないステンレス等の金属材や合成樹脂材で細長板形に形成され、一端部に取付ネジ３３が挿通されるネジ孔３４１が穿孔され、中央部から他端部に２個の押片３４２，３４３が形成される切込みが設けられている。両押片３４２，３４３は、切込み方向が逆に設定されている。また、他端部側の押片３４３には、取付ネジ３３が挿通される長孔形のネジ孔３４４が穿孔されている。
【００４１】
この調整金具３は、一端部がネジ孔３４１に挿通された取付ネジ３３で額縁Ｆの裏面に締付け固定される。そして、図１１（Ｂ），図１２に示すように、切込みから切起こされた押片３４２が支持部材１の側面１３を弾圧し、切込みから切起こされた押片３４３が支持部材１の裏面１１を弾圧することになる。なお、押片３４３については、ネジ孔３４４に取付ネジ３３を挿通し、位置調整して支持部材１の裏面１１に締付け固定される。このとき、前述の調整金具３の場合と同様に、取付ネジ３３の本締めに先行して支持部材１を上下，左右方向にスライドさせるように位置調整する。
【００４２】
この調整金具３によると、押片３４２，３４３の切起こし角度を調整することで、異なる大きさ，厚さの絵画類Ｐに対応することができる。なお、この調整金具３では、図１０に示したスペーサ４が不要となる。
【００４３】
完成Ｓ４では、販売者Ｍ１が額装され完成品（商品）となった絵画類Ｐを購入者に引渡すことになる。
【００４４】
第２例によると、第１例の作用，効果に加えて、展示された絵画類Ｐについての購入者Ｍ２の購入の申込みの後に、販売者Ｍ１が支持板１を額装の裏板として利用するとともに収容位置を調整する調整金具３を使用して絵画類Ｐの額装を実施して、販売者Ｍ１が額装済みの絵画類Ｐを購入者Ｍ２に引渡すことになる。このため、絵画類Ｐを額装した状態で購入者Ｍ２に引渡すことができ、購入者Ｍ２側での面倒な額装作業等が不要になる。
【００４５】
図１３は、本発明に係る絵画類の販売方法を実施するための最良の形態の第３例を示すものである。
【００４６】
第３例は、展示Ｓ２において額縁Ｆを展示せず、別の展示会等で購入された額縁Ｆや既に所持している額縁Ｆが絵画類Ｐを額装する際に購入者Ｍ２から提供される。
【００４７】
第３例によると、購入者Ｍ２の好みによりマッチした額縁Ｆに絵画類Ｐを額装することができる。
【００４８】
以上、図示した各例の外に、額縁Ｆが外枠と外枠の内部に嵌合されるライナとからなる構造を備えたものである場合、調整金具３をライナに固定して使用することも可能である。
【図面の簡単な説明】
【００４９】
【図１】発明に係る絵画類の販売方法を実施するための最良の形態の第１例の各段階の経過を示すフローチャートである。
【図２】図１の第１の加工作業の段階の詳細を示す斜視図である。
【図３】図１の展示の段階の詳細を示す斜視図である。
【図４】本発明に係る絵画類の販売方法を実施するための最良の形態の第２例の各段階の経過を示すフローチャートである。
【図５】図４の完成の加工作業の段階の額縁の背面図である。
【図６】図４の第１の加工作業の段階で使用される調整金具の分解状態の斜視図である。
【図７】図６の使用状態図である。
【図８】図７の縦断面図である。
【図９】図８の変形例を示す図である。
【図１０】図８，図９の変形例を示す図である。
【図１１】図６の変形例を示す図であり、（Ａ）に使用される前の状態が示され、（Ｂ）に使用される状態が示されている。
【図１２】図１１の使用状態の断面図である。
【図１３】本発明に係る絵画類の販売方法を実施するための最良の形態の第３例の各段階の経過を示すフローチャートである。
【符号の説明】
【００５０】
１            支持部材
１１          裏面
１２          表面
１３          側面
３            調整金具
Ｆ            額縁
Ｐ            絵画類
Ｓ１         
第１の加工作業
Ｓ２         
展示
Ｓ３         
第２の加工作業
Ｓ４          完成
Ｍ１          販売者
Ｍ２          購入者
【図１】
2009295099.tif 000003
【図２】
2009295099.tif 000004
【図３】
2009295099.tif 000005
【図４】
2009295099.tif 000006
【図５】
2009295099.tif 000007
【図６】
2009295099.tif 000008
【図７】
2009295099.tif 000009
【図８】
2009295099.tif 000010
【図９】
2009295099.tif 000011
【図１０】
2009295099.tif 000012
【図１１】
2009295099.tif 000013
【図１２】
2009295099.tif 000014
【図１３】
2009295099.tif 000015